(57)【要約】　　　（修正有）【課題】ＣＤケースにおいて、多数のＣＤケースを保管又は携帯する際に、小スペースで嵩張らないようにすることと、ＣＤと共に歌詞カードまたは解説書等をコンパクトに収納でき、且つ表示片を見出しとして使用できるブック型の収納ケースを提供する。【解決手段】裏表紙部と背表紙部と表表紙部とが透明または半透明の合成樹脂シートによって一連に形成されたブック型の収納ケースであって、前記裏表紙部の自由端部側にディスク用の第１の収納部が設けられ、前記背表紙部に見出し部となる第２の収納部が設けられ、前記表表紙部の自由端部側に見出し片用の第３の収納部が設けられ、前記第１の収納部にはディスクの記録面を保護する保護シートが配設されている構成としたことにより、ＣＤ等のディスクと共に解説書または歌詞カード等の小冊子と裏ジャケットと表示片とを一緒に収納することができる。【選択図】　図２
2004083053.tif 000002
【特許請求の範囲】
【請求項１】
裏表紙部と背表紙部と表表紙部とが透明または半透明の合成樹脂シートによって一連に形成されたブック型の収納ケースであって、
前記裏表紙部の自由端部側にディスク用の第１の収納部が設けられ、
前記背表紙部に見出し部となる第２の収納部が設けられ、
前記表表紙部の自由端部側に見出し片用の第３の収納部が設けられ、
前記第１の収納部にはディスクの記録面を保護する保護シートが配設されていること
を特徴とするブック型の収納ケース。
【請求項２】
裏表紙部と背表紙部と表表紙部とが透明または半透明の合成樹脂シートによって一連に形成されたブック型の収納ケースであって、
裏表紙部と背表紙部と表表紙部とを折り目を介して一連に形成すると共に、前記裏表紙部と表表紙部との自由端側に折り目を介してそれぞれ折り返し片を一連に形成した長尺矩形状を呈する第１のシート材と、保護シート材とからなり、
前記裏表紙部の折り返し片を折り返して重ね合わさった両側縁部を熱シールしてディスク用の第１の収納部を形成し、
前記背表紙部は、中央部で折り返して重ね合わさった両側縁部を熱シールして見出し部となる第２の収納部を形成し、
前記表表紙部の折り返し片を折り返して重ね合わさった両側縁部を熱シールして見出し片用の第３の収納部を形成し、
前記第１の収納部の内に、前記保護シート材を配設させたこと
を特徴とするブック型の収納ケース。
【請求項３】
前記保護シート材は、
第１の収納部を形成する折り返し片に位置決め係止手段によって取り付けられていること
を特徴とする請求項２に記載のブック型の収納ケース。
【請求項４】
前記保護シート材には張出部を形成し、
該張出部は第１の収納部を形成する熱シール部内に位置させること
を特徴とする請求項１、２または３に記載のブック型の収納ケース。
【請求項５】
前記保護シート材は、
不織布であること
を特徴とする請求項１、２、３または４に記載のブック型の収納ケース。
【請求項６】
第１の収納部の自由端部側に見出しスペースを設けたこと
を特徴とする請求項１または２に記載の収納ケース。
【請求項７】
第１の収納部の自由端側と、第３の収納部の自由端側とに、裏表紙部と表表紙部との閉じた状態を維持する係止手段を設けたこと
を特徴とする請求項１または２に記載のブック型の収納ケース。
【発明の詳細な説明】
【０００１】
【発明の属する技術分野】
本発明は、例えば、ＣＤ、ＣＤ−ＲＯＭ、ＤＶＤ等のディスクを収納すると共に、該ディスクに添付される歌詞カード等の小冊子、裏ジャケット、表示片等も見やすく収納できるブック型の収納ケースに関するものである。
【０００２】
【従来の技術】
従来、ＣＤショップやレコード販売店等で市販されている音楽ＣＤ等は、▲１▼一般に透明で硬質な合成樹脂材で形成されたＣＤケースに収納され、このＣＤケースが透明なセロファンで密着状態に包装されて販売されている。
【０００３】
この一般に使用される標準規格のＣＤケース４１は、図９（イ）に示したように、ケース本体４２と、支軸部４３を中心にして開閉自在な蓋体４４とを有している。また、ケース本体４２の内側には、ＣＤ４５を嵌め込んで保持するトレー部材４６が配設されており、このトレー部材４６は、一般には白色又は着色された硬質の合成樹脂材で形成されている。
【０００４】
そして、蓋体４４の内側には、冊子状の歌詞カード４７が保持用突起４８で保持されており、また、トレー部材４６とケース本体４２との間には図示しない裏ジャケットが挟持されている。歌詞カード４７には、収録曲の歌詞などが印刷されており、裏ジャケットには、タイトル、収録曲名、アーティストの写真、様々なイラスト、又は芸術的なデザイン等が描かれている。
【０００５】
また、ＣＤケース４１の側部４１ａには、図９（ロ）に示すような表示片４９（一般に「帯」と称されている）を宛って、その状態で全体を包装用のセロファン（図示せず）でピッタリと包装して陳列、販売している。表示片４９は、コ字状に折曲した縦長の紙片で形成され、その表面には、タイトル、アーティスト名、収録曲名、定価、バーコード等が表示されている。
【０００６】
更に、歌詞カードまたは解説書等が収納できるＣＤ用収納ケースとして、例えば、▲２▼特開平１０−２９６８１号公報に開示された構成（コンパクトディスク用ジャケット）のものが公知になっている。この公知の収納ケースは、可撓性ビニールシートを用いて、袋状の収納部を有する矩形状の第１のジャケットと、第２のジャケットと、第３のジャケットとをそれぞれ別体に形成し、これらを側縁または上縁を熱シールすることによりブック形式の構成にしてある。
【０００７】
そして、これら複数の収納部は、それぞれが比較的広い独立したポケット形式に形成されており、ＣＤ、リーフレット及び解説書等が個々の収納部に収納でき全体が嵩張らないようになるものである。
【０００８】
【発明が解決しようとする課題】
前記▲１▼の従来例のＣＤケース４１においては、厚さが約１０ｍｍ程度あるので、複数のＣＤケースを保管したり携帯する場合には、意外と嵩張って広い保管スペースが必要であると共に、携帯時においては邪魔であるという問題点がある。
【０００９】
また、このＣＤケース４１では、購入後に包装用のセロファンを破って中のＣＤ４５を取り出すが、この後、表示片４９を収納しておくスペースはなく破棄するか又は別途に保管するしかないので、表示片４９は厄介な存在であった。
【００１０】
更に、前記▲２▼の従来例においては、複数のジャケットを形成してこれ等を貼り合わせて単純に複数の袋状収納部を設けるものであって、使用材料が多くなると共に、各収納部にはＣＤやリーフレット及び解説書等がそれぞれ個別に収納できるものであるが、特に、ＣＤの記録面がビニールシートに長期に渡って直接接触していると、ビニール成分が記録面に移行して不都合が生ずるばかりでなく、ＣＤを識別するための表示片等を単に収納部に収めるだけでは、見出しの機能を果たさないという問題点を有している。
【００１１】
従って、従来例におけるＣＤケースにおいては、複数のＣＤケースを保管又は携帯する際に、小スペースで嵩張らないようにすることと、ＣＤと共に歌詞カードまたは解説書等をコンパクトに収納でき、且つ表示片を見出しとして使用できるように収納することに解決しなければならない課題を有している。
【００１２】
【課題を解決するための手段】
上記従来例の課題を解決する具体的手段として本発明に係る第１の発明は、裏表紙部と背表紙部と表表紙部とが透明または半透明の合成樹脂シートによって一連に形成されたブック型の収納ケースであって、前記裏表紙部の自由端部側にディスク用の第１の収納部が設けられ、前記背表紙部に見出し部となる第２の収納部が設けられ、前記表表紙部の自由端部側に見出し片用の第３の収納部が設けられ、前記第１の収納部にはディスクの記録面を保護する保護シートが配設されていることを特徴とするブック型の収納ケースを提供するものである。
【００１３】
また、本発明に係る第２の発明は、裏表紙部と背表紙部と表表紙部とが透明または半透明の合成樹脂シートによって一連に形成されたブック型の収納ケースであって、裏表紙部と背表紙部と表表紙部とを折り目を介して一連に形成すると共に、前記裏表紙部と表表紙部との自由端側に折り目を介してそれぞれ折り返し片を一連に形成した長尺矩形状を呈する第１のシート材と、保護シート材とからなり、前記裏表紙部の折り返し片を折り返して重ね合わさった両側縁部を熱シールしてディスク用の第１の収納部を形成し、前記背表紙部は、中央部で折り返して重ね合わさった両側縁部を熱シールして見出し部となる第２の収納部を形成し、前記表表紙部の折り返し片を折り返して重ね合わさった両側縁部を熱シールして見出し片用の第３の収納部を形成し、前記第１の収納部の内に、前記保護シート材を配設させたことを特徴とするブック型の収納ケースを提供するものである。
【００１４】
これらの発明において、前記保護シート材は、第１の収納部を形成する折り返し片に位置決め係止手段によって取り付けられていること；前記保護シート材には張出部を形成し、該張出部は第１の収納部を形成する熱シール部内に位置させること；前記保護シート材は、不織布であること；第１の収納部の自由端部側に見出しスペースを設けたこと；及び第１の収納部の自由端側と、第３の収納部の自由端側とに、裏表紙部と表表紙部との閉じた状態を維持する係止手段を設けたこと；を付加的な要件として含むものである。
【００１５】
本発明に係るブック型の収納ケースは、裏表紙部の自由端部側にディスク用の第１の収納部が設けられ、背表紙部に見出し部となる第２の収納部が設けられ、表表紙部の自由端部側に見出し片用の第３の収納部が設けられ、前記第１の収納部にはディスクの記録面を保護する保護シートが配設された構成にしたことによって、ＣＤ等が収納された多数の収納ケースを保管又は携帯する際であっても、全体として嵩張らず小スペースで足りるばかりでなく、ＣＤ等のディスクと共に解説書または歌詞カード等の小冊子と裏ジャケットと表示片とを一緒に収納することができ、収納ケースから小冊子を取り出さなくても、必要な頁片をめくって読むことができるのである。
【００１６】
【発明の実施の形態】
次に、本発明を具体的な実施の形態に基づいて詳しく説明する。
まず、第１の実施の形態に係る収納ケースを図１〜図６に示してある。この実施の形態に係る収納ケース１の構造を分解したブランク材の平面を図１に示す。図１において、収納ケース１は、第１のシート材２と、第２のシート材３とからなるものである。
【００１７】
この第１のシート材２としては、例えば、透明または半透明で、或る程度の剛性を有する合成樹脂シートを用いることができ、該合成樹脂シートは長尺の矩形状に形成したものが使用され、収納ケース１としての裏表紙部Ａと背表紙部Ｂと表表紙部Ｃとが一連に形成されるものであり、更に、裏表紙部Ａの自由端部側に折り返し片４が折り目５を介して一連に形成されると共に、表表紙部Ｃの自由端部側にも折り返し片６が折り目７を介して一連に形成されている。
【００１８】
前記裏表紙部Ａの自由端部側に設けた折り返し片４は、その自由端部を曲面または円弧状４ａに形成すると共に、該円弧状４ａの中央部から中心方向に向けて切り欠き部４ｂが形成してある。そして、折り目５に沿って略中央部に、所要長さの一方の係止手段となる切り込み線８が形成され、該切り込み線８は折り目５から僅かに外側に膨らんだ形状に形成されている。なお、切り込み線８は、折り目５に沿わない位置、例えば、折り目５から僅かに内側に入った位置、即ち仮想線で示した位置に形成しても良い。
【００１９】
前記表表紙部Ｃの自由端部側に設けた折り返し片６は、表表紙部Ｃの約半幅の大きさに形成され、折り目７に沿って他方の係止手段となる差し込み片または舌片９が形成されるように切り込み線１０が形成されている。この舌片９の幅は、前記裏表紙Ａ側の折り目線５に沿って設けた切り込み線８の長さに略対応しており、その切り込み線８に舌片９が差し込まれて裏表紙部Ａと表表紙部Ｃとの閉じ状態の維持がなされるのである。
【００２０】
背表紙部Ｂについては、中央部に折り目１１が設けられ、該折り目１１の表表紙部Ｃに所定の幅を持って折り目１２ａが設けられ、該折り目１２ａから折り目１１の対向側に仮想線１２ｂで示した範囲までが背表紙部Ｂとなるものである。そして、背表紙部Ｂにおける上下端縁の容着（熱シール）工程を容易にするために、折り目１２ａに隣接して前記表表紙部Ｃの上下端縁に切り欠き部１３ａ、１３ｂを設けてある。
【００２１】
第２のシート３は、ＣＤ等のディスクの記録面を保護するための保護シートであり、例えば、不織布等で形成したものであって、その形状は収納されるＣＤの形状に相当する円弧状部３ａと矩形の台状部３ｂとが合体した形状であって、台状部３ｂの上下端縁にはわずかに張り出させた張出部３ｃ、３ｄが形成され、その大きさは全体として裏表紙部Ａからはみ出さない大きさに形成されている。
【００２２】
そして、この第２のシート３は、基本的には比較的厚手で適度の剛性がある不織布で形成されるものであるが、不織布が比較的薄手で柔らかいものを使用する場合には、剛性のある樹脂製のフィルム材を裏打ちしたものが使用され、台状部３ｂの上下端縁に形成される張出部３ｃ、３ｄは裏打ちしたフィルム材のみに形成すれば良いのである。
【００２３】
このように形成されたブランク材をもって収納ケース１を形成する場合には、図２に示したように、まず、第１のシート材２において背表紙部Ｂとなる折り目１１を折って全体を二つ折りにしてから、折り目１２ａを外側に折って背表紙部Ｂが重なるようにし、且つ、表表紙部Ｃが開いた状態にする。
【００２４】
この状態において、裏表紙部Ａに第２のシート材３を位置決めして載置し、その上に折り目５を内側に折って折り返し片４を重ねて保持し、表表紙部Ｃ側においては、折り目７を内側に折って折り返し片６を表表紙部Ｃに重ねて保持し、この状態を維持して上下端縁の重なり合っている部分を所定幅に亘って、例えば、熱シールすることによりシール部１４ａ、１４ｂ、１５ａ、１５ｂ、１６ａ、１６ｂを形成し、各折り重なっている部分が第１の収納部１７、第２の収納部１８及び第３の収納部１９となるのである。
【００２５】
特に、この熱シール工程において、図３に示したように、裏表紙部Ａと折り返し片４との間に第２のシート材３を介在させた状態で熱シールされるものであるが、第２のシート材３に設けた張出部３ｃ、３ｄがシール部１４ａ、１４ｂ内に入り込んでおり、その材料が不織布であることから、第１のシート材２と実質的な熱シールは困難であるが、張出部３ｃ、３ｄの周囲が熱シールされることで強固な挟持状態になり、シール後における第２のシート材３は、簡単には抜け出さない状態で取り付けられるのである。
【００２６】
また、第２のシート材３の配設位置は、折り目５によって形成される端縁からわずかに内側に入った位置であって、端縁側に所定幅の見出しスペース１７ａを残してある。更に、上下端縁に形成される両シール部１４ａ、１４ｂの間隔については、収納されるＣＤ等のディスクの直径よりもわずかに（１〜３ｍｍ程度）狭い間隔をもって形成してある。このように形成することで、収納されたディスクが折り目５によって形成される端縁側にまで移動して当接しないように保持するものである。
【００２７】
この場合の熱シールについては、フィルムまたはシート材について一般的に行われている種々のシール手段が適用できるものであるが、図４に示したように、例えば、短冊状のシール要素１４ｃが多数並列状態で形成される熱シールの場合でも、シール部１４ａ、１４ｂにおける第２のシート材３に設けた張出部３ｃ、３ｄとの関係については、シール要素１４ｃが張出部３ｃ、３ｄと重なっている部分は、実質的な熱シールは困難であるが、張出部３ｃ、３ｄから外れた部分については、強固にシールされることによって強固な挟持状態が作り出され、シール後においては、第２のシート材３は簡単には抜け出さない状態で取り付けられるのである。
【００２８】
そして、シール部１４ａ、１４ｂにはみ出す張出部３ｃ、３ｄの突出長さについては、好ましくはシール幅の約半分の幅であるが、シール幅の１／３程度の幅であっても、充分な挟持状態が得られるのである。つまり、第２のシート材３については、ＣＤ等を出し入れする際に、無理に引っ張られるわけではないので、配設状態が安定して維持できれば良いのである。
【００２９】
また、上記の熱シール工程において、第２の収納部１８を形成するためのシール部１５ａ、１５ｂを形成する際に、表表紙部Ｃが背表紙部Ｂ側に容着されないように切り欠き部１３ａ、１３ｂで逃がしており、また、表表紙部Ｃにおけるシール部１６ａ、１６ｂも含めて一回の熱シール工程により全部のシール部を効率よく形成できるのである。
【００３０】
このように熱シールすることによって第１の収納部１７、第２の収納部１８及び第３の収納部１９を有する収納ケース１が形成され、前記第１の収納部１７の内側に、第２のシート材３を配設させることによって、その収納部内を、第２のシート材３の表面側と裏面側とに分割することができ、実質的に前記第１の収納部１７には２つの収納部が形成されることになるのである。
【００３１】
そして、このように形成された収納ケース１の使用について、図５〜６に基づき説明すると、従来のＣＤ、ＣＤ−ＲＯＭ、ＤＶＤ等のディスクケースに付帯している裏ジャケット３０は、ディスクに関する見出し（タイトル）が所要幅をもって両端部に付いており、その見出しの幅に略対応させて両端部３０ａ、３０ｂを内側に折り畳み、その折り畳んだ一方の端部３０ａを第１の収納部１７における第２のシート材３の裏面側に差し込み、他方の端部３０ｂを第２の収納部１８に差し込んで全体を裏表紙Ａに密着させて収納する。
【００３２】
このように裏ジャケット３０を収納することにより、裏ジャケット３０におけるアーティストの写真等の表示は裏表紙部Ａの裏面側から全面的に視認でき、一方の端部３０ａにおけるタイトルまたは収録曲名等の表示は見出しスペース１７ａを介して、他方の端部３０ｂにおける同様の表示は、背表紙Ｂを介して、それぞれの見出し部分（タイトル）となって、表面側から視認できるのである。
【００３３】
また、従来のディスクケースに付帯している表示片３１も、その中央部にディスクに関するタイトルまたは収録曲名等が所要幅をもって表示されており、等の表示がなされており、その表示は見出し（タイトル）等が所要幅をもって表示されており、その見出しが表側になるようにして二つ折りにし、第３の収納部１９に差し込んで収納する。この場合に、見出しが表表紙Ｃの表面側から視認できるように収納する。
【００３４】
ディスクケースに付帯している小冊子状の解説書または歌詞カード３２は、その裏表紙３２ａを第１の収納部１７おける第２のシート材３の裏面側に差し込むと共に、表表紙３２ｂを第３の収納部１９に差し込んで収納する。この場合に、裏表紙３２ａは先に収納してある裏ジャケット３０と重なる状態となり、表表紙３２ｂは先に収納してある表示片３１と一部が重なるようになるが、見出し部分までは隠せない長さであって、安定した状態で差し込み収納される。そして、解説または歌詞が記載されている頁部分３２ｃは、自由に開くことができるようになっている。
【００３５】
ＣＤ、ＣＤ−ＲＯＭ、ＤＶＤ等のディスク３３は、第１の収納部１７における第２のシート材３の表面側と折り返し片４との間に差し込んで収納する。この場合に、ディスク３３の記録面側が第２のシート材３側に接触するようにして収納され、ディスク３３の上下における対向端縁が、シール部１４ａ、１４ｂに当接して収納状態が安定し、且つディスク３３の取り出しに関しては、切り欠き部４ｂに臨んでいるディスクのセンター孔に指を当てて引き出すようにすれば簡単に取り出せるのである。
【００３６】
このようにして、ディスク３３及び歌詞カード３２等の付属品を収納ケース１に収納した後に、裏表紙部Ａに対して表表紙部Ｃを閉じ、表表紙部Ｃの舌片９を切り込み線８の部分に挿着することにより閉じ状態が維持され全体がバラケないでコンパクトに纏まるのである。特に、舌片９を切り込み線８部分に挿着する際に、切り込み線８が折り目５からわずかに膨らませて形成されていることによって、その分だけ一方が外側に突出することになり、その突出した部分に指を掛けることによって切り込み線８部分が開き、舌片９の挿着が容易に行われるのである。なお、切り込み線８に沿う部分が外側にわずかに突出していても、ほとんど気にならない。
【００３７】
次に、本発明の第２の実施の形態を図７に示してある。この実施の形態においては、収納ケースは、第１のシート材２と、第２のシート材３とから構成され、熱シールして第１の収納部１７、第２の収納部１８及び第３の収納部１９を形成する構成は、前記第１の実施の形態と略同一であって、相違する部分は、第２のシート材３を第１の収納部１７内に配設する構成のみであるので、これらの相違する部分について説明し、他の構成についてはその説明を省略する。
【００３８】
即ち、第２のシート材３である保護シートを第１の収納部１７内に配設するにあたって、位置決めと配設安定性とを創出させるために、折り返し片４との間で位置決め係止手段を設けたものである。この位置決め係止手段は、収納される円形のディスク３３が干渉しない位置に設けられるものであって、例えば、第１の収納部１７における自由端側の両コーナー部付近に設けられるものである。
【００３９】
この位置決め係止手段は、一方の折り返し片４側に円弧状の切り込み２０を設け、他方の第２のシート材３側には、その円弧状の切り込み２０に対応する部位に直線状の切り込み２１を設けるものである。
【００４０】
そして、熱シール工程の前の段階で、返し片４側に形成した円弧状の切り込み２０に沿う舌片を、例えば、指で押して立ち上げ、第２のシート材３側に形成した直線状の切り込み２１に差し込むことにより両者を仮固定し、その後に折り目５を内側に折って裏表紙部Ａに折り返し片４を重ねることにより両者間に第２のシート材３が位置するようになり、この状態で位置関係をキチット位置合わせした後に、熱シール工程でシール部１４ａ、１４ｂをシールすることで、第２のシート材３が設定された位置に寸法精度良く固定され配設されるのである。
【００４１】
この第２の実施の形態に係る第２シート３の他の位置決め係止手段を図８に示す。この位置決め係止手段は、やはり、第１の収納部１７における自由端側の両コーナー部付近で、例えば、両面接着テープ等の接着部材２２を用いて、折り返し片４と第２のシート材３とをキチット位置決めして取り付けるものである。この場合には、仮固定ではなく最終的な位置決め固定である。そして、使用される接着部材２２は、長期に亘っても変色が少なく、且つ接着機能が劣化し難いもの（接着剤）が選択される。
【００４２】
そして、第２のシート材３を接着後に、前記同様に折り目５を内側に折って裏表紙部Ａに折り返し片４を重ね、両者間に第２のシート材３が位置した状態でシール部１４ａ、１４ｂをシールすることで、第２のシート材３が設定された位置に寸法精度良く固定され配設されるのである。要するに、位置決め係止手段を適用することにより、熱シール工程において第２のシート材３がずれることなく、設定されて位置に正確に配設されるのである。なお、位置決め係止手段を適用する場合には、第２のシート材３の両側に、シール部１４ａ、１４ｂにはみ出す張出部３ｃ、３ｄを必ずしも設ける必要はない。
【００４３】
いずれにしても、本発明に係る収納ケース１は、ディスク３３と、裏ジャケット３０と、表示片３１と、小冊子状の解説書または歌詞カード３２とを一緒に収納することができ、しかも、これら収納した裏ジャケット３０、表示片３１、小冊子状の解説書または歌詞カード３２の各表示部分が収納ケース１の表裏両面から一種の見出しとして視認できると共に、収納ケース１から解説書または歌詞カードを取り出さなくても、各頁片をめくって読むことができるのである。
【００４４】
なお、上記説明においては、略矩形状の第１のシート材２を折り返して熱シールすることにより、第１の収納部と、第２の収納部と、第３の収納部とを形成させたが、複数シート材を用いて、相互に熱シールすることにより本願発明と同等の収納ケースを形成することができるのである。また、熱シールの換わりに接着剤等を使用しても良いのである。
【００４５】
そして、特に、多数のＣＤ等を保管する場合に、収納ケース１の表表紙部Ｃ側からタイトル等の表示が一目して視認できるので、分類もし易いし出し入れもし易いのであり、また、保管スペースも少なくて済むし、携帯する際も嵩張らないのである。更に、郵送する際にしても、厚紙素材を添えて一般的な封筒に入れて簡単・手軽に郵送できるのである。
【００４６】
【発明の効果】
以上説明したように、本発明に係る収納ケースは、裏表紙部と背表紙部と表表紙部とが透明または半透明の合成樹脂シートによって一連に形成されたブック型の収納ケースであって、前記裏表紙部の自由端部側にディスク用の第１の収納部が設けられ、前記背表紙部に見出し部となる第２の収納部が設けられ、前記表表紙部の自由端部側に見出し片用の第３の収納部が設けられ、前記第１の収納部にはディスクの記録面を保護する保護シートが配設されている構成としたことにより、ＣＤ等のディスクと共に解説書または歌詞カード等の小冊子と裏ジャケットと表示片とを一緒に収納することができ、これ等収納した裏ジャケット、表示片、小冊子状の解説書または歌詞カード等の各表示部分が収納ケースの表裏両面から一種の見出しとして視認できるので、保管管理の分類及び取り出しまたは収納が容易になると共に、ＣＤ等が収納された多数の収納ケースを保管又は携帯する際であっても、全体として嵩張らず小スペースで足りるばかりでなく、収納ケースから小冊子を取り出さなくても、必要な頁片をめくって読むことができるという優れた効果を奏する。
【図面の簡単な説明】
【図１】本発明の第１の実施の形態に係る収納ケースを分解したブランク状態を示す平面図である。
【図２】同収納ケースを熱シールして各収納部を形成した状態を示す平面図である。
【図３】同収納ケースにおける第１の収納部のシール状態を示す正面図である。
【図４】同収納ケースにおける第１の収納部のシール状態を説明するための一部を拡大して示した説明図である。
【図５】同収納ケースにＣＤ等のディスクとそれに付帯する付属品を収納する状態を説明するための略示的斜視図である。
【図６】同収納ケースにＣＤ等のディスクとそれに付帯する付属品を収納した状態を示す略示的斜視図である。
【図７】第２の実施の形態に係る収納ケースであって、主要構成部である第１の収納部における第２のシート材の位置決め係止手段を示す正面図である。
【図８】同収納ケースにおける第２のシート材の他の位置決め係止手段を説明するための一部を拡大して示した説明図である。
【図９】（イ）従来例のＣＤケースを略示的に示した斜視図であり、（ロ）同ＣＤケースに宛われる表示片を略示的に示した斜視図である。
【符号の説明】
Ａ　裏表紙部、　Ｂ　背表紙部、　Ｃ　表表紙部
１　収納ケース
２　第１のシート材
３　第２のシート材（保護シート）
４、６　折り返し片
３ａ、４ａ　円弧状
３ｂ　台状部
３ｃ、３ｄ　張出部
４ｂ、１３ａ、１３ｂ　　切り欠き部
５、７、１１、１２ａ　折り目
８、１０　切り込み
９　　舌片（差し込み片）
１２ｂ　仮想線
１４ａ、１４ｂ、１５ａ、１５ｂ、１６ａ、１６ｂ　シール部
１４ｃ　シール要素
１７　第１の収納部
１８　第２の収納部
１９　第３の収納部
２０　円弧状の切り込み
２１　直線状の切り込み
２２　接着部材（接着剤）
３０　裏ジャケット
３０ａ　一方の端部
３０ｂ　他方の端部
３１　表示片
３２　小冊子状の解説書または歌詞カード
３２ａ　裏表紙
３２ｂ　表表紙
３２ｃ　頁部分
３３　ＤＣ、ＣＤ−ＲＯＭ、ＤＶＤ等のディスク
【図１】
2004083053.tif 000003
【図２】
2004083053.tif 000004
【図３】
2004083053.tif 000005
【図４】
2004083053.tif 000006
【図５】
2004083053.tif 000007
【図６】
2004083053.tif 000008
【図７】
2004083053.tif 000009
【図８】
2004083053.tif 000010
【図９】
2004083053.tif 000011